(57)【要約】【課題】  祈願者が神社仏閣に出向き実際に祈祷してもらったことを実感できると共に、出向くことなく祝詞や読経を何時でも何処でも聴くことを可能にする。【解決手段】  音声合成出力部１３が、祈祷者による祈祷開始後祈願者の祈願情報及び祈願者情報からなる個人情報を詠むタイミングで発せられる起動指示を契機に、詠みあげられる祈祷内容にあらかじめ受付登録してある個人情報の少なくとも一部を音声合成して所定回数出力する。また、境内、あるいは自宅に居ながら、受付登録時に祈願者に発行されるＩＣタグ内蔵の御札、もしくはＩＰ網を介して個別に付与される情報から祈願者ＩＤを読み取り、事前に登録された祈祷内容と読み取られた祈願者ＩＤにより識別される個人情報の少なくとも一部を組み合わせて音声合成された音声情報を出力、あるいは配信する。【選択図】      図２
2005085098.tif 000002
【特許請求の範囲】
【請求項１】
神社仏閣において祈願の受付に必要な祈願情報と祈願に必要な祈願者情報と神社仏閣でそれ等を識別するために付与した祈願者ＩＤとの取り込みを行ない、受付登録を行う受付登録部と、
前記祈願情報で示される祈願する内容の種類に応じて前記祈願者の祈願者ＩＤリストを生成するソートリスト生成部と、
祈祷者による祈祷開始後、前記祈願者の祈願情報あるいは祈願者情報を詠むタイミングで発せられる起動指示を契機に、前記生成される祈願者ＩＤリストに従う前記祈願情報あるいは祈願者情報の少なくとも一部を音声合成して所定回数だけ繰り返し出力する音声合成出力部と、
を備えることを特徴とする電子祈祷システム。
【請求項２】
神社仏閣において、もしくは通信ネットワークを介して祈願の受付に必要な祈願情報と祈願に必要な祈願者情報と神社仏閣でそれ等を識別するために付与した祈願者ＩＤとの取り込みを行ない、受付登録を行う受付登録部と、
前記神社仏閣の境内において前記受付登録された御札に付された記録媒体、もしくは通信ネットワークを介して個別に付与される情報から祈願者ＩＤを読み取るＩＤ読み取り部と、
事前に登録された祈祷内容と前記読み取られた祈願者ＩＤにより識別される祈願情報あるいは祈願者情報の少なくとも一部を組み合わせて音声合成された音声情報を出力する音声合成出力部と、
を備えたことを特徴とする電子祈祷システム。
【請求項３】
前記祈願者から境内に設置された端末を介してプレート購入要求を受信し、前記音声合成出力部から出力され録音される再生可能な音声情報に、前記神社仏閣に関連して撮影された画像情報を付加して出力する音声画像書込み部と、
を備えることを特徴とする請求項１または２に記載の電子祈祷システム。
【請求項４】
前記祈願者から境内に設置された端末を介して御神籤購入要求を受信し、データベースから御神籤情報を抽出して所定の記録媒体に出力する御神籤出力部と、
を備えることを特徴とする請求項１または２に記載の電子祈祷システム。
【請求項５】
通信ネットワークを介して、前記祈願の受付、プレート購入、御神籤購入のいずれかの要求を受信し、前記音声合成された音声情報、前記音声情報に画像情報が付加されたプレート情報、前記御神籤情報の少なくとも一つを配信する情報配信部と、
を備えることを特徴とする請求項２から４のいずれか１項に記載の電子祈祷システム。
【請求項６】
神社仏閣において祈願を行う電子祈願方法であって、
前記祈願の受付に必要な祈願情報と祈願に必要な祈願者情報と神社仏閣でそれ等を識別するために付与した祈願者ＩＤとの取り込みを行ない、受付登録を行う過程と、
前記祈願情報で示される祈願する内容の種類に応じて前記祈願者の祈願者ＩＤリストを生成する過程と、
祈祷者による祈祷開始後、前記祈願者の祈願情報あるいは祈願者情報を詠むタイミングで発せられる起動指示を契機に、前記生成される祈願者ＩＤリストに従う前記祈願情報あるいは祈願者情報の少なくとも一部を音声合成して所定回数だけ繰り返し出力する過程と、
を含むことを特徴とする電子祈祷方法。
【請求項７】
神社仏閣において、もしくは通信ネットワークを介して祈願を行う電子祈願方法であって、
前記祈願の受付に必要な祈願情報と祈願に必要な祈願者情報と神社仏閣でそれ等を識別するために付与した祈願者ＩＤとの取り込みを行ない、受付登録を行う過程と、
前記受付登録された御札に付された記録媒体、もしくは通信ネットワークを介して個別に付与される情報から祈願者ＩＤを読み取る過程と、
事前に登録された祈祷内容と前記読み取られた祈願者ＩＤにより識別される祈願情報あるいは祈願者情報の少なくとも一部を組み合わせて音声合成された音声情報を出力する過程と、
を含むことを特徴とする電子祈祷方法。
【請求項８】
神社仏閣において祈願を行う電子祈願システムに用いられるプログラムであって、
前記祈願の受付に必要な祈願情報と祈願に必要な祈願者情報と神社仏閣でそれ等を識別するために付与した祈願者ＩＤとの取り込みを行ない、受付登録を行う処理と、
前記祈願情報で示される祈願する内容の種類に応じて前記祈願者の祈願者ＩＤリストを生成する処理と、
祈祷者による祈祷開始後、前記祈願者の祈願情報あるいは祈願者情報を詠むタイミングで発せられる起動指示を契機に、前記生成される祈願者ＩＤリストに従う前記祈願情報あるいは祈願者情報の少なくとも一部を音声合成して所定回数だけ繰り返し出力する処理と、
をコンピュータに実行させるプログラム。
【請求項９】
神社仏閣において、もしくは通信ネットワークを介して祈願を行う電子祈願システムに用いられるプログラムであって、
前記祈願の受付に必要な祈願情報と祈願に必要な祈願者情報と神社仏閣でそれ等を識別するために付与した祈願者ＩＤとの取り込みを行ない、受付登録を行う処理と、
前記受付登録された御札に付された記録媒体、もしくは通信ネットワークを介して個別に付与される情報から祈願者ＩＤを読み取る処理と、
事前に登録された祈祷内容と前記読み取られた祈願者ＩＤにより識別される祈願情報あるいは祈願者情報の少なくとも一部を組み合わせて音声合成された音声情報を出力する処理と、
をコンピュータに実行させるプログラム。
【発明の詳細な説明】
【技術分野】
【０００１】
本発明は、神社仏閣に用いて好適な、電子祈祷システムおよび方法ならびにそのプログラムに関する。
【背景技術】
【０００２】
神社仏閣等に出向き、開運招福、家内安全、心願成就、交通安全、縁結び、商売繁盛、合格祈願、学業成就、勝運祈願、安産、病気平癒、よろずうけたまわり等のご利益を願って祈願する場合、まず、受付所で祈願の内容と祈願者の住所氏名を記録し所定の祈祷料を納める。このような受付登録終了後本尊に案内され、神主や和尚による祝詞やお経の中で祈願の内容と祈願者の住所氏名が通常１回だけ詠みあげてもらうことができる。
【０００３】
一方、最近ではＷｅｂ（World Wide Web）を用いて家に居ながら祈祷をお願いし、あるいは御札を購入できる電子システムが提案されている。
例えば、神社の御札作成をＷｅｂサイトで受付け、祈祷を済ました後その御札を申込者が指定する人に送付するもの（例えば、特許文献１参照）、また、位牌をいつでもどこでも拝めるように、インターネットを介して電子位牌を設置したＷｅｂサイトをアクセスして位牌および宗派毎に用意されるお経を選択し、読経が開始されると先に選択された位牌の映像が現れる仕組みについても提案されている（例えば、特許文献２参照）。
【特許文献１】特開２００１−３５７１７３号公報
【特許文献２】特開２００２−２０９７１６号公報
【発明の開示】
【発明が解決しようとする課題】
【０００４】
上記したように神社仏閣に出向いて祈祷をうける際、納める祈祷料の金額によっては、祈願者の住所、氏名、および祈祷内容が丁寧に詠まれ、あるいは、他の祈願者と一緒に纏め詠みされることがある。また、聴くことに慣れておらず、明確な口調で詠まれないことが多々あるため、祈願者は自分の名前が詠まれたことが理解できないこともあり、祈祷内容が御札に入ったことの証を欲しているにもかかわらず、二度聴きしたくても聴くことができずにいた。
また、上記した特許文献１、２に開示されたように、Ｗｅｂを用いて祈祷を依頼した場合、祈祷したことの証（御札）は得られても、実際に神社仏閣に出向き、祈祷してもらう場合に比べて現実感を得ることはできない。
【０００５】
本発明は上記事情に鑑みてなされたものであり、神社仏閣に出向いた祈願者が実際に祈祷してもらったことを実感できる、電子祈祷システムおよび方法ならびにそのプログラムを提供することを目的とする。
また、Ｗｅｂを用いて自身の名前が音声合成された祝詞や読経を神社仏閣に出向くことなく何時でも何処でも聴くことのできる、電子祈祷システムおよび方法ならびにそのプログラムを提供することも目的とする。
【課題を解決するための手段】
【０００６】
上記した課題を解決するために本発明の電子祈祷システムは、神社仏閣において祈願の受付に必要な祈願情報と祈願に必要な祈願者情報と神社仏閣でそれ等を識別するために付与した祈願者ＩＤとの取り込みを行ない、受付登録を行う受付登録部と、前記祈願情報で示される祈願する内容の種類に応じて前記祈願者の祈願者ＩＤリストを生成するソートリスト生成部と、祈祷者による祈祷開始後、前記祈願者の祈願情報あるいは祈願者情報を詠むタイミングで発せられる起動指示を契機に、前記生成される祈願者ＩＤリストに従う前記祈願情報あるいは祈願者情報の少なくとも一部を音声合成して所定回数だけ繰り返し出力する音声合成出力部と、を備えることを特徴とする。
【０００７】
上記した課題を解決するために本発明の電子祈祷システムは、神社仏閣において、もしくは通信ネットワークを介して祈願の受付に必要な祈願情報と祈願に必要な祈願者情報と神社仏閣でそれ等を識別するために付与した祈願者ＩＤとの取り込みを行ない、受付登録を行う受付登録部と、前記神社仏閣の境内において前記受付登録された御札に付された記録媒体、もしくは通信ネットワークを介して個別に付与される情報から祈願者ＩＤを読み取るＩＤ読み取り部と、事前に登録された祈祷内容と前記読み取られた祈願者ＩＤにより識別される祈願情報あるいは祈願者情報の少なくとも一部を組み合わせて音声合成された音声情報を出力する音声合成出力部と、を備えたことを特徴とする。
【０００８】
また、本発明において、前記祈願者から境内に設置された端末を介してプレート購入要求を受信し、前記音声合成出力部から出力され録音される再生可能な音声情報に、前記神社仏閣に関連して撮影された画像情報を付加して出力する音声画像書込み部と、を備えることを特徴とする。
【０００９】
また、本発明において、前記祈願者から境内に設置された端末を介して御神籤購入要求を受信し、データベースから御神籤情報を抽出して所定の記録媒体に出力する御神籤出力部と、を備えることを特徴とする。
【００１０】
また、本発明において、通信ネットワークを介して、前記祈願の受付、プレート購入、御神籤購入のいずれかの要求を受信し、前記音声合成された音声情報、前記音声情報に画像情報が付加されたプレート情報、前記御神籤情報の少なくとも一つを配信する情報配信部と、を備えることを特徴とする。
【００１１】
上記した課題を解決するために本発明は、神社仏閣において祈願を行う電子祈願方法であって、前記祈願の受付に必要な祈願情報と祈願に必要な祈願者情報と神社仏閣でそれ等を識別するために付与した祈願者ＩＤとの取り込みを行ない、受付登録を行う過程と、前記祈願情報で示される祈願する内容の種類に応じて前記祈願者の祈願者ＩＤリストを生成する過程と、祈祷者による祈祷開始後、前記祈願者の祈願情報あるいは祈願者情報を詠むタイミングで発せられる起動指示を契機に、前記生成される祈願者ＩＤリストに従う前記祈願情報あるいは祈願者情報の少なくとも一部を音声合成して所定回数だけ繰り返し出力する過程と、を含むことを特徴とする。
【００１２】
上記した課題を解決するために本発明は、神社仏閣において、もしくは通信ネットワークを介して祈願を行う電子祈願方法であって、前記祈願の受付に必要な祈願情報と祈願に必要な祈願者情報と神社仏閣でそれ等を識別するために付与した祈願者ＩＤとの取り込みを行ない、受付登録を行う過程と、前記受付登録された御札に付された記録媒体、もしくは通信ネットワークを介して個別に付与される情報から祈願者ＩＤを読み取る過程と、事前に登録された祈祷内容と前記読み取られた祈願者ＩＤにより識別される祈願情報あるいは祈願者情報の少なくとも一部を組み合わせて音声合成された音声情報を出力する過程と、を含むことを特徴とする。
【００１３】
上記した課題を解決するために本発明は、神社仏閣において祈願を行う電子祈願システムに用いられるプログラムであって、前記祈願の受付に必要な祈願情報と祈願に必要な祈願者情報と神社仏閣でそれ等を識別するために付与した祈願者ＩＤとの取り込みを行ない、受付登録を行う処理と、前記祈願情報で示される祈願する内容の種類に応じて前記祈願者の祈願者ＩＤリストを生成する処理と、祈祷者による祈祷開始後、前記祈願者の祈願情報あるいは祈願者情報を詠むタイミングで発せられる起動指示を契機に、前記生成される祈願者ＩＤリストに従う前記祈願情報あるいは祈願者情報の少なくとも一部を音声合成して所定回数だけ繰り返し出力する処理と、をコンピュータに実行させることを特徴とする。
【００１４】
上記した課題を解決するために本発明は、神社仏閣において、もしくは通信ネットワークを介して祈願を行う電子祈願システムに用いられるプログラムであって、前記祈願の受付に必要な祈願情報と祈願に必要な祈願者情報と神社仏閣でそれ等を識別するために付与した祈願者ＩＤとの取り込みを行ない、受付登録を行う処理と、前記受付登録された御札に付された記録媒体、もしくは通信ネットワークを介して個別に付与される情報から祈願者ＩＤを読み取る処理と、事前に登録された祈祷内容と前記読み取られた祈願者ＩＤにより識別される祈願情報あるいは祈願者情報の少なくとも一部を組み合わせて音声合成された音声情報を出力する処理と、をコンピュータに実行させることを特徴とする。
【発明の効果】
【００１５】
本発明によれば、音声合成出力部が、祈祷者による祈祷開始後祈願者の祈願内容や願者情報などの個人情報を詠むタイミングで発せられる起動指示を契機に、詠みあげられる祈祷内容にあらかじめ受付登録してある個人情報の少なくとも一部を音声合成して所定回数出力することで、祈祷中の祈願者名が何度か詠まれることになり、従って聞き逃す確率が低くなり、祈願者はその祈祷効果を実感することができる。
また、本発明によれば、神社仏閣の境内において受付登録時に祈願者に発行されるＩＣタグ内蔵の御札、もしくは通信ネットワークを介して個別に付与される情報から祈願者ＩＤを読み取り、音声合成出力部が、事前に登録された祈祷内容と読み取られた祈願者ＩＤにより識別される祈願内容や願者情報などの個人情報の少なくとも一部を組み合わせて音声合成された音声情報を出力することで、一度祈祷を済ませば、境内の至るところに設置された端末を介し、あるいはＷｅｂを用いることで自身の名前が音声合成された祝詞や読経を再度聴くことができる。特に後者においては、神社仏閣に出向くことなく何時でも何処でも何回でも聴くことが可能になる。
【００１６】
また、本発明によれば、音声画像書込み部が、祈願者から境内に設置された端末を介してプレート購入要求を受信したときに、音声合成出力部から出力され録音される再生可能な音声情報に、例えば神社仏閣の外観等、撮影された画像情報を付加して出力することで、神社仏閣ではそのプレートの販売が可能となり、また、購入した祈願者は後日このプレートを再生することで祈願したときの祝詞や読経と一緒にその祈願内容を再度聴くことができる。
また、本発明によれば、祈願者から境内に設置された端末を介して御神籤購入要求を受信したときに、御神籤出力部が、データベースから御神籤情報をランダムに抽出して、例えばリライト式のメモリカードに出力することで御神籤の販売が可能になる。この場合、購入者は、「吉」と出るまで繰り返し購入できるため費用はかかるものの結果に納得するまで購入でき、更に、御札を持参すれば端末にその御札をかざすだけで各地の御神籤を購入することができる。
【００１７】
また、本発明によれば、祈願の受付、プレート購入、御神籤購入のいずれかの要求を通信ネットワーク経由で受信したとき、情報配信部が、記音声合成された音声情報、音声情報に画像情報が付加されたプレート情報、御神籤情報等を配信することで、家に居ながら自分の名前が入った祝詞や読経を聴くことができ、かつ、御札、プレート、御神籤の購入も可能となる。
【発明を実施するための最良の形態】
【００１８】
図１は、本発明における電子祈祷システムの接続構成の一例を示す図である。本発明の電子祈祷システムは、それぞれの神社仏閣に設置される管理サーバ１上に構築される。管理サーバ１には、境内の随所に設置される、受付端末２、音声端末３、ＩＣタグ発行端末４、プレート発行端末５、御神籤発行端末６が、それぞれＬＡＮ（Local Area Network）７経由で接続されている。
ここで、受付端末２は祈祷受付けを行う際に使用され、音声端末３は後述する情報ＤＢ１４に記録された祝詞や読経を音声出力する際に使用される。また、ＩＣタグ発行端末４はＩＣタグ内蔵の御札を発行するために使用され、プレート発行端末５は、祈願者の要求に基づき音声画像付きの祈祷記念プレートを発行するために使用され、御神籤発行端末６は、祈願者の要求に基づき御神籤を販売するためにそれぞれ設置される。
【００１９】
それぞれの神社仏閣Ａ〜Ｎに設置された管理サーバ１は、ＩＰ（Internet Protocol）網９を介して接続される複数のユーザ端末８（ａ〜ｎ）からアクセスを受け、後述するサービスを提供する。ここで、ユーザとは、祈願者であり、また、御札、プレート、御神籤等の購入者でもある。
なお、ここでは神社仏閣Ａ〜Ｎ毎、管理サーバ１を備え、分散管理してパフォーマンスを高める構成にしているが、唯１個の情報データベースを持つ管理サーバ１をセンタに設置し、それぞれの神社仏閣は、端末２〜６のみ設置する構成とし、センタの管理サーバ１を共有使用する集中管理形態をとってもよい。
【００２０】
図２は、管理サーバ１の内部構成を機能展開して示したブロック図である。図２において、管理サーバ１は、受付登録部１１と、ソートリスト生成部１２と、音声合成出力部１３と、情報ＤＢ（Database）１４と、ＩＣタグリードライト（Ｒ／Ｗ）部１５と、音声画像書込み部１６と、御神籤出力部１７と、情報配信部１８と、情報ＤＢ管理部１９で構成される。
【００２１】
上記した構成のうち、受付登録部１１は、神社仏閣に出向き、あるいはＩＰ網９等の通信ネットワークを介して祈願の要求があったときに、その受付に必要な祈願情報と、祈願に必要な祈願者情報と、神社仏閣でそれ等を識別するために付与した祈願者ＩＤとを含む個人情報の取り込みを行ない、受付登録を行う機能を持つ。また、ソートリスト生成部１２は、祈願する内容の種類毎、受付登録順に祈願者の祈願者ＩＤリストを生成する機能を持つ。
音声合成出力部１３は、祈祷者による祈祷開始後、祈祷者が祈願者の個人情報を詠むタイミングで、例えば、ボタンスイッチ２０をＯＮすることによって発せられる起動指示を契機に、祈祷者により詠みあげられる祈祷内容に、ソートリスト生成部１２によって生成された祈願者ＩＤリストに従う個人情報の少なくとも一部（住所、氏名、祈願内容）を音声合成して所定回数だけ繰り返し出力する機能を持つ。音声合成出力部１３はまた、事前に情報ＤＢ１４に登録された祈祷内容（後述する基本音声情報素片）と読み取られた祈願者ＩＤにより識別される個人情報の少なくとも一部（後述する可変音声情報素片）とを組み合わせて音声合成された音声情報を出力する機能も併せ持つ。
【００２２】
一方、ＩＣタグＲ／Ｗ部１５は、神社仏閣の境内において、受付登録時に祈願者にＩＣタグ付きの御札を発行し、また、この御札が、音声端末３、プレート発行端末５、御神籤発行端末６のいずれかにかざされた場合、もしくはＩＰ網９を介して祈祷を含む要求があったときに、個別に付与される情報から祈願者ＩＤを読み取る機能を持つ。なお、ここで使用されるＩＣタグは、御札に内蔵された通信機能を持つ非接触のＩＣ記憶素子をいう。
音声画像書込み部１６は、祈願者から境内に設置されたプレート発行端末５を介してプレート購入要求を受信し、音声合成出力部１３から出力され、録音される再生可能な音声情報に、神社仏閣の風景や本尊等、神社仏閣に関連して撮影された画像情報を付加して出力する機能を持つ。また、御神籤出力部１７は、祈願者から境内に設置された御神籤発行端末６を介して御神籤購入要求を受信し、情報ＤＢ１４から御神籤情報をランダムにあるいは所定の選択論理により抽出してメモリカード等所定の記録媒体に出力する機能を持つ。
【００２３】
なお、情報配信部１８は、ＩＰ網９を介して祈願の受付、プレート購入、御神籤購入のいずれかの要求を受信したときに、音声合成出力部１３により音声合成された音声情報、音声合成出力部１３により出力される音声情報に画像情報が付加されたプレート情報、あるいは御神籤情報等を配信する機能を持つ。
また、情報ＤＢ管理部１９は、後述する情報ＤＢ１４と、受付登録部１１、ソートリスト生成部１２、音声合成出力部１３、ＩＣタグＲ／Ｗ部１５、音声画像書込み部１６、御神籤出力部１７、情報配信部１８間のインタフェースを担い、登録、検索、更新等の情報管理を行うＤＢＭＳ（DataBase Management System）が実装される。
【００２４】
情報ＤＢ１４のデータ構造の一例を図３に示す。情報ＤＢ１４には、登録番号（祈願者ＩＤ）と、祈願日、住所、氏名、年齢、性別、電話番号、メールアドレスなどからなる祈願者情報と、祈願の種別を含む祈願内容（祈願情報）との各データ項目から成る個人情報が登録される。ここで、登録番号とは、システムにより一意に付される例えば、ユーザのＩＤをいい、祈願者にＩＣタグ内蔵の御札を購入させる場合には予めそのＩＣタグ内に記憶されているタグＩＤ、ＩＰ網９を介して到来する要求に対しては自動付与される識別情報とする。
また、あらかじめ登録される音声情報として、基本音声情報素片と可変音声情報があり、前者は、祝詞やお経に関する神主や和尚等、祈祷者の肉声、後者は、祈願者の住所、氏名、祈願内容に関する神主や和尚等、祈祷者の肉声である。いずれも音声合成出力部１３による音声合成処理のための部品情報となる。更に、画像情報、御神籤情報も含まれる。画像情報として、神社仏閣の外観、本尊等の写真が数カット用意される。また、御神籤情報に関しては、事の吉凶を占う籤情報がランダムに配列されている。
【００２５】
図４〜図６は、本発明実施形態の動作を説明するために引用したフローチャートであり、本発明のプログラムの処理手順も示す。
以下、図４〜図６に示すフローチャートを参照しながら図１〜図３に示す本発明実施形態の動作について詳細に説明する。
【００２６】
（図４：神社仏閣における本尊前での音声合成）
神社仏閣に出向いた祈願者は、まず、受付所で祈願の受付を済ます（Ｓ４１、Ｓ４２“訪問ユーザ”）。具体的には、受付登録部１１を介して受付端末２による祈願者の住所氏名、祈願内容等の登録が行われる。すると、ＩＣタグ発行端末４が御札のＩＣタグから読み込んだタグＩＤを登録番号として含む祈願者の住所氏名、祈願内容等から成る個人情報が情報ＤＢ１４に格納される。さらに、ＩＣタグ発行端末４を介して登録された個人情報を記録したＩＣタグ内蔵の御札が発行される（Ｓ４３）。なお、あらかじめＩＣタグに記憶されているタグＩＤの代わりに、新たに発行したＩＤを登録番号として用いてもよく、その場合、発行したユーザのＩＤを記録する。
一方、ユーザ端末８を操作してインターネット等ＩＰ網９を介して祈願の依頼を行ったユーザ（以下、ネットユーザという）に対しては、個人情報の登録終了後、システムが自動的にＩＤを付与する（Ｓ４２“ネットユーザ”、Ｓ４４）。これを受けてソートリスト生成部１２では、受付登録部１１により登録された個人情報からＩＤを取込み、その祈祷種別に応じて受付順にＩＤリストを作成する（Ｓ４５、Ｓ４６）。
【００２７】
以上の前処理の後、神社仏閣の本尊前では、神主、あるいは和尚による、祝詞、読経が始まる。そして、神主や和尚が祝詞や読経の途中、登録受付を済ました祈願者の個人情報（住所、氏名、祈願内容）を詠むタイミングで、近くにあるボタンスイッチ２０を押下したとする（Ｓ４７、Ｓ４８共にＹｅｓ）。
このとき、音声合成出力部１３は、ソートリスト生成部１２によって生成された受付順にソートされたＩＤリストに従い、そのＩＤ順に祈願者の住所、氏名を音声合成して所定の回数だけ出力する（Ｓ４９）。ここで、音声合成された音声情報は音声端末３を介して出力され、本尊前、境内のそれぞれに設置されたスピーカ（ＳＰ）を介してリアルタイムに発声される。なお、ネットユーザの場合は、後述するように、録音された祝詞、あるいはお経が配信され、ユーザ端末８を介して再生された音声を聴くことになる。
【００２８】
このように電子祈祷システムが、祈祷者による祈祷開始後、祈願者の個人情報を詠むタイミングで発せられる起動指示を契機に、詠みあげられる祈祷内容にあらかじめ受付登録してある個人情報の少なくとも一部を音声合成し、音声端末３を介して所定回数出力することで、祈祷中の祈願者名が何度か詠まれることになり、従って祈願者は自身の名前を聞き逃す確率が低くなり、その祈祷効果を実感することができる。
【００２９】
（図５：境内や自宅での音声合成）
また、本尊前での祈祷を終えた祈願者は、境内の任意の場所に設置されている音声端末３に御札を近づけることにより、あるいはＩＰ網９経由で祈祷を依頼したユーザは、本尊前で行なわれた祈祷の内容を繰り返し聴くことができる。
すなわち、先に祈祷した内容は録音され、既に情報ＤＢ１４に格納されていることから、境内に居る祈願者は、近くに設置された音声端末３に御札をかざすことで（図５のＳ５１Ｙｅｓ）、そのＩＤが読み込まれ（Ｓ５２）、そのＩＤをキーに情報ＤＢ管理部１９を介して音声情報ＤＢ１４を検索することにより、先の祈祷により詠まれた祝詞あるいは読経による音声情報が読み出され、音声端末３に出力される（Ｓ５３、Ｓ５４）。
【００３０】
一方、本尊前での祈祷を終えた祈願者がプレート発行端末５に御札をかざすことによってプレート発行要求が生成され（Ｓ５５Ｙｅｓ）、このとき、音声画像書込み部１６は、先に記録された音声に、情報ＤＢ１４にあらかじめ格納されている写真撮影済みの神社仏閣等の外観あるいは本尊等の画像情報を読み出して付加し、例えば、祈祷記念盾等のプレートとして作成し出力する（Ｓ５６）。また、予め用意された写真や像などに音声のみを記憶することでもよい。祈願者は、後日、このプレートに記録された音声情報を再生することにより、祈祷時に使われた祝詞やお経を自身の名前入りで再度聴くことができる。
なお、このプレートについてはネットユーザも購入申込が可能であり、勿論、実際に神社仏閣に出向いた祈願者も、境内での購入に限ることなくインターネット等のＩＰ網９を介していつでも購入申込が可能である。
【００３１】
このように、神社仏閣の境内において受付登録時に祈願者に発行されるＩＣタグ内蔵の御札、もしくはＩＰ網９を介して個別に付与されるＩＤから祈願者ＩＤを読み取り、音声合成出力部１３が、事前に登録された祈祷内容と読み取られた祈願者ＩＤにより識別される個人情報の少なくとも一部を組み合わせて音声合成された音声情報を出力することで、一度祈祷を済ませば、境内の至るところに設置された端末を介し、あるいはＷｅｂを用いることで自身の名前が音声合成された祝詞やお経を再度聴くことができる。特に後者においては、神社仏閣に出向くことなく何時でも何処でも何回でも聴くことが可能になる。
また、音声画像書込み部１６が、祈願者から境内に設置されたプレート発行端末５を介してプレート購入要求を受信したときに、音声合成出力部１３から出力され録音される再生可能な音声情報に、例えば神社仏閣の外観等、撮影された画像情報を付加して出力することで、神社仏閣ではそのプレートの販売が可能となり、また、購入した祈願者は後日このプレートを再生することで祈願したときの祝詞や読経と一緒にその祈願内容を再度聴くことができる。
なお、ステップＳ５４あるいはステップＳ５６における音声情報は、後述するステップＳ６３（図６）と同様の音声であってもよい。
【００３２】
（図６：インターネットによる祈願受付および御神籤購入）
ネットユーザは、ユーザ端末８を操作することにより自宅に居ながらにして神社仏閣へ出向いたのと同様、ＩＰ網９を介して祝詞や読経を聴くことができ、また、御神籤を購入することができる。
すなわち、祝詞や読経を聴く場合（Ｓ６１“祝詞（お経）”）、受付登録部１１ではネットユーザに対してＩＤを付与すると共に、受付登録部１１を介してそのＩＤを取り込む（Ｓ６２）。そして、情報ＤＢ管理部１９は情報ＤＢ１４を検索して、基本音声情報素片として記録済みの祝詞もしくはお経を出力する。また、音声合成出力部１３では受付登録された個人情報に基づき、情報ＤＢ１４に可変音声情報素片として記録されてある住所、氏名、祈願内容に相当する音声情報を読み込んで先の基本音声情報素片に合成出力する（Ｓ６３）。情報配信部１８では、この音声合成出力を依頼のあったユーザ端末８へ配信する。また、このとき、画像情報を付加して配信することもできる（Ｓ６４）。
【００３３】
一方、御神籤購入の場合（Ｓ６１“御神籤”）、受付登録部１１では入力されたＩＤが登録神社で発行されたものか否かをチェックし（Ｓ６５）、登録神社仏閣であれば情報ＤＢ１４から御神籤情報をランダムに抽出し、情報配信部１８を介して配信する。また、他の神社で発行されたものであればＩＤを新規に発行して（Ｓ６６）情報ＤＢ１４から御神籤情報をランダムに抽出し、情報配信部１８を介して配信する（Ｓ６７）。
なお、祈願者から境内に設置された御神籤発行端末６を介して御神籤購入要求を受信したときにも、御神籤出力部１７が、情報ＤＢ管理部１９を経由して情報ＤＢ１４から御神籤情報をランダムに抽出し、御神籤発行端末６を介してその御神籤情報が記録されたリライト式のメモリカード、あるいは追記型のメモリカード等の記録媒体を発行することで御神籤の販売が可能になる。この場合、購入者は、「吉」と出るまで繰り返し購入できるため費用はかかるものの結果に納得するまで購入でき、更に、御札を持参すれば端末にその御札をかざすだけで各地の御神籤を購入することができる。
【００３４】
このように、祈願の受付、プレート購入、御神籤購入のいずれかの要求をＩＰ網９経由で受信したときに、情報配信部１８が、音声合成された音声情報、音声情報に画像情報が付加されたプレート情報、御神籤情報等を配信することで、家に居ながら自分の名前が入った祝詞や読経を聴くことができ、かつ、御札、プレート、御神籤の購入も可能となる。
【００３５】
なお、図２に示す、受付登録部１１、ソートリスト生成部１２、音声合成出力部１３、ＩＣタグＲ／Ｗ部１５、音声画像書込み部１６、御神籤出力部１７、情報配信部１８、情報ＤＢ管理部１９のそれぞれで実行される手順をコンピュータ読み取り可能な記録媒体に記録し、この記録媒体に記録されたプログラムをコンピュータシステムに読み込ませ、実行することによっても本発明の電子祈祷システムを実現することができる。ここでいうコンピュータシステムとは、ＯＳや周辺機器等のハードウェアを含む。
【００３６】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３７】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３８】
【図１】本発明における電子祈祷システムの接続構成の一例を示す図である。
【図２】管理サーバの内部構成を機能展開して示したブロック図である。
【図３】情報ＤＢのデータ構造の一例を示す図である。
【図４】本発明実施形態の動作を示すフローチャートである。
【図５】本発明実施形態の動作を示すフローチャートである。
【図６】本発明実施形態の動作を示すフローチャートである。
【符号の説明】
【００３９】
１…管理サーバ（電子祈祷システム）、２…受付端末、３…音声端末、４…ＩＣタグ発行端末、５…プレート発行端末、６…御神籤発行端末、１１…受付登録部、１２…ソートリスト生成部、１３…音声合成出力部、１４…情報ＤＢ、１５…ＩＣタグＲ／Ｗ部、１６…音声画像書込み部、１７…御神籤出力部、１８…情報配信部、１９…情報ＤＢ管理部、２０…ボタンスイッチ
【図１】
2005085098.tif 000003
【図２】
2005085098.tif 000004
【図３】
2005085098.tif 000005
【図４】
2005085098.tif 000006
【図５】
2005085098.tif 000007
【図６】
2005085098.tif 000008